(57)【要約】【課題】複数の音楽作品が存在する同一楽曲を正しく利用者に選曲させるためのユーザインタフェースを備えたカラオケ選曲装置を提供する【解決手段】音楽作品の作品ＩＤに曲名とアーティスト名とバージョン説明情報とを対応付けした索引データベースにアクセするカラオケ選曲装置であって、利用者入力に従って索引データベースから曲名とアーティスト名が同じ作品を抽出した場合で抽出作品がＮ個以下の際、それら作品の曲名とアーティスト名を一覧表示して１つの曲名を選択可能とするとともに、その際、曲名とアーティスト名が同じ複数作品を除く抽出作品が（Ｎ−１）以下であれば、曲名とアーティスト名が同じ複数の作品については重複表示せずに他の作品の曲名とアーティスト名とともに一覧表示し、当該複数の作品の共通曲名が選択入力されるとそれら複数の作品ＩＤに対応するバージョン説明情報を表示し、１つの作品を選択可能とする。【選択図】図９
2008197549.tif 000002
【特許請求の範囲】
【請求項１】
ユーザインタフェースと、制御手段を備え、索引データベースにアクセするカラオケ選曲装置であって、
索引データベースは、音楽作品ごとに、作品ＩＤと曲名とアーティスト名を対応付けするとともに、バージョン説明情報が対応付けされた音楽作品も含まれ、
ユーザインタフェースは、制御手段の制御により利用者に情報を表示するとともに、利用者の操作入力を受け付け、
制御手段は、索引データベースを利用者入力に従って検索し、抽出作品が複数あって曲名およびアーティスト名の同一作品を含まない場合は第１モードを、抽出作品が複数あって曲名およびアーティスト名の同一作品を含む場合は第２モードを行い、
第１モードは、抽出作品がＮ個以下の際、それら作品の曲名とアーティスト名を一覧表示し、１つの曲名の選択入力を受付可能とし、
第２モードは、曲名およびアーティスト名が同一である複数作品を除く抽出作品が（Ｎ−１）以下の際、曲名およびアーティスト名が同一である複数作品については重複表示をせずに他の作品の曲名とアーティスト名とともに一覧表示させ、１つの曲名の選択入力を受付可能とし、
制御手段は、第２モードにて曲名およびアーティスト名が同一である複数作品の共通曲名が選択入力された際、それら複数の作品ＩＤに基づいて索引データベースからそれぞれ該当するバージョン説明情報を抽出し、それらバージョン説明情報により曲名およびアーティスト名が同一である複数作品を区別して表示させ、１つの作品の選択入力を受け付ける
カラオケ選曲装置。
【発明の詳細な説明】
【技術分野】
【０００１】
この発明は、索引データベースにアクセスし、検索データベース検索に基づいて利用者に選出されたカラオケ楽曲をカラオケ装置に演奏予約させるためのカラオケ選曲装置に関する。具体的には、カラオケ装置に同じカラオケ楽曲にバージョンが異なる複数の音楽作品が演奏可能に用意されている場合、カラオケ選曲装置において、特定のバージョンの音楽作品を利用者に選曲させるためのユーザインタフェースの改良に関する。
【背景技術】
【０００２】
最近のカラオケ選曲装置は、実質的にタブレット・コンピュータと同等のハードウエアにカラオケ装置で演奏可能なカラオケ楽曲について、曲名やアーティスト名などの目次情報を蓄積した索引データベースを外部記憶に格納している。そして、利用者入力により受け付けたクエリーに基づいて索引データベースを検索し、該当するカラオケ楽曲の目次情報を表示出力し、その表示したカラオケ楽曲に対する選曲指示入力を受け付けると、そのカラオケ楽曲の楽曲番号を含んだ演奏予約コマンドをカラオケ装置に送信して演奏予約させる。このように、カラオケ選曲装置は、日々増え続ける膨大な数のカラオケ楽曲から利用者が歌唱したい楽曲を素早く提示して演奏予約させるためのユーザインタフェース環境を利用者に提供している。
【０００３】
しかしながら、カラオケ利用者は、より高音質な伴奏音楽で歌唱したい、新曲のＣＤ発売と同時にカラオケでその曲を唄いたい、同じアーティストの同じ楽曲でも特定のアルバムに収録されている若干アレンジが異なる伴奏音楽で歌唱したい、など、利用者の嗜好が多様化し、カラオケ事業者は、その多様化した嗜好に応えるべく、曲名とアーティスト名が同じカラオケ楽曲に対し複数のバージョンの音楽作品を用意するようになった。
【０００４】
例えば、同じカラオケ楽曲であっても、伴奏音楽の起源となるカラオケデータが、ＭＰ３データとＭＩＤＩデータのように、異なるデータ形式の音楽作品として複数用意されている場合、同一楽曲で異なるアレンジに対応して複数の音楽作品が用意されている場合、外国の曲において歌詞文字が原語と日本語で用意されている場合、日本の曲で外国の人も歌えるように歌詞文字が日本語と他の外国語で用意されている場合、などである。
【発明の開示】
【発明が解決しようとする課題】
【０００５】
同じカラオケ楽曲についてバージョンの異なる複数の音楽作品がカラオケ装置で演奏可能に用意されている場合、各バージョンについての説明を表示したり、その作品をカラオケ装置に演奏予約させたりするためのユーザインタフェースを工夫しないと、利用者は、どのバージョンの作品を歌唱すればよいのか迷ってしまったり、特定のバージョンの音楽作品を歌唱したい場合にそのバージョンの作品を正しくカラオケ装置に演奏予約させることができなくなったりする。本発明は、複数の音楽作品が存在する同一楽曲を正しく利用者に選曲させるためのユーザインタフェースを備えたカラオケ選曲装置を提供することを目的としている。
【課題を解決するための手段】
【０００６】
本発明は、次の事項（１）〜（７）によって特定されるカラオケ選曲装置である。  
（１）ユーザインタフェースと、制御手段を備え、索引データベースにアクセするカラオケ選曲装置であること
（２）索引データベースは、音楽作品ごとに、作品ＩＤと曲名とアーティスト名を対応付けするとともに、バージョン説明情報が対応付けされた音楽作品も含まれること
（３）ユーザインタフェースは、制御手段の制御により利用者に情報を表示するとともに、利用者の操作入力を受け付けること
（４）制御手段は、索引データベースを利用者入力に従って検索し、抽出作品が複数あって曲名およびアーティスト名の同一作品を含まない場合は第１モードを、抽出作品が複数あって曲名およびアーティスト名の同一作品を含む場合は第２モードを行うこと
（５）第１モードは、抽出作品がＮ個以下の際、それら作品の曲名とアーティスト名を一覧表示し、１つの曲名の選択入力を受付可能とすること
（６）第２モードは、曲名およびアーティスト名が同一である複数作品を除く抽出作品が（Ｎ−１）以下の際、曲名およびアーティスト名が同一である複数作品については重複表示をせずに他の作品の曲名とアーティスト名とともに一覧表示させ、１つの曲名の選択入力を受付可能とすること
（７）制御手段は、第２モードにて曲名およびアーティスト名が同一である複数作品の共通曲名が選択入力された際、それら複数の作品ＩＤに基づいて索引データベースからそれぞれ該当するバージョン説明情報を抽出し、それらバージョン説明情報により曲名およびアーティスト名が同一である複数作品を区別して表示させ、１つの作品の選択入力を受け付けること
【発明の効果】
【０００７】
本発明のカラオケ選曲装置によれば、バージョンが異なる複数の音楽作品が存在する同一楽曲を正しく利用者に選曲させることができる。
【発明を実施するための最良の形態】
【０００８】
＝＝＝カラオケ選曲装置の基本的な構成と動作＝＝＝
図１に本発明の実施例におけるカラオケ選曲装置を含むカラオケシステムの概略図を示した。また、図２（Ａ）（Ｂ）に本実施例のカラオケ選曲装置の外観と機能ブロック構成とを示した。この実施例において、カラオケ選曲装置１は、周知の通信カラオケシステムの一部である。複数の客室４０を備えたカラオケ店舗２０において、各客室４０には、カラオケ装置（以下、演奏端末）２とカラオケ選曲装置（以下、客室端末）１が設置されている。カラオケ店舗２０にはＬＡＮ３０が敷設され、ＬＡＮ３０には、演奏端末２と無線ＬＡＮのアクセスポイント５０が接続されている。客室端末１は、無線ＬＡＮインタフェース１７を備え、アクセスポイント５０を経由してＬＡＮ３０に接続する。それによって、同じ客室２０にある演奏端末２と客室端末１とが通信する。
【０００９】
またＬＡＮ３０は、ルータ６０を介してインターネット７０ａやインターネット７０ａを利用したＶＰＮ７０ｂに接続されている。ＶＰＮ７０ｂには、カラオケ楽曲の伴奏音楽と歌詞画像の生成起源となるカラオケデータを蓄積するとともに、新譜のカラオケデータなどを適時に演奏端末２に配信するホスト装置８０が接続されている。
【００１０】
客室端末２は、液晶ディスプレイ（ＬＣＤ）１２とタッチセンサ１３とを積層したタッチパネル１１を主体としたユーザインタフェースを備え、内蔵するフラッシュメモリやハードディスク装置などの外部記憶１５には演奏端末２にて演奏可能な多数のカラオケ楽曲について、楽曲番号に曲名やアーティスト名、歌詞の歌い出し部分などの目次情報を対応付けした索引データベースを格納している。また、タッチパネル１１に表示される各種画像情報や、演奏予約などの操作対象となる同じ客室４０の演奏端末２についての所在情報（ＩＰアドレスなど）もこの外部記憶１５に記憶されている。
【００１１】
リモコン制御部１４は、ＣＰＵ、ＲＡＭ、ＲＯＭ、ビデオＲＡＭなどを含み、タッチパネル１１に対する利用者の操作入力情報に基づいて各種画像情報や文字情報をビデオＲＡＭにビットマップ展開し、そのビットマップデータに基づいてＬＣＤドライバ１６を駆動してタッチパネル１１に適宜な情報を表示する。また、タッチパネル１１に表示した情報とその表示位置とをＲＡＭなどに記憶するなどして管理し、利用者がタッチパネル１１の任意の位置に触れると、その位置に表示した情報に基づいて次の処理に移行する。
【００１２】
リモコン制御部１４は、タッチパネル１１を介した利用者との対話を通じて目次情報の断片をクエリーとして受け付け、該当するカラオケ楽曲の目次情報を索引データベースより取り出して提示する。そして、客室端末１において、最終的にカラオケ楽曲が１曲に特定され、その楽曲を演奏予約する旨の利用者入力がなされると、リモコン制御部１４は、楽曲番号を含む演奏予約コマンドのコードを生成する。そして、無線ＬＡＮインタフェース１７により、同じ客室４０の演奏端末２に向けてこのコードを転送する。
【００１３】
演奏端末２は、客室端末１からＬＡＮ３０を経由して楽曲番号が送付されてくると、受け取った楽曲番号を演奏処理の待ち行列で管理し、楽曲番号に該当するカラオケデータを順次処理して伴奏音楽を生成させるとともに、マイクロホンに入力された歌声音声との混合音声をスピーカより音響出力する。また、伴奏音楽に同期して歌唱タイミングを指示するように色変わりする歌詞画像をディスプレイに表示出力する。
【００１４】
＝＝＝索引データベース＝＝＝
図３に索引データベースの概略構造を示した。各楽曲番号に曲名とアーティスト名が対応付けされている。また、曲名とアーティスト名が同じ楽曲でバージョンが異なる複数の音楽作品１０１も存在し、このような音楽作品（バージョン別音楽作品）１０１については、曲名とアーティスト名に加え、それぞれのバージョン別音楽作品の内容を記述したバージョン説明情報１０２が楽曲番号に対応付けされている。バージョン説明情報１０２としては、カラオケデータの種別、歌詞文字の言語、原曲の収録アルバムについての情報（アルバム名、アルバムリリース年など）、編曲に関する情報（ジャズアレンジ、ロックアレンジなど）などがある。なお本実施例では、音楽作品ごとに個別の楽曲番号が対応付けされている。すなわち、曲名とアーティスト名が同じ一つのカラオケ楽曲に複数のバージョン別音楽作品が存在する場合、各バージョン別音楽作品に楽曲番号が対応付けされており、楽曲番号が個々のバージョン別音楽作品を識別するための情報（作品ＩＤ）となる。
【００１５】
＝＝＝バージョン別音楽作品選曲機能＝＝＝
図４〜図１０に、バージョン別音楽作品を選曲するまでにタッチパネルに表示される画面遷移を示した。客室端末１を起動するとトップ画面が表示される（図４）。このトップ画面１１０には、各種検索方式（新譜・歌手名・曲名・あの頃・デュエット・ジャンル）や機能（履歴・リモコン）を呼び出すための各ボタン１１１〜１１８と、楽曲演奏中にある演奏端末２を操作するための各種ボタン１１９が配設されている。たとえば、トップ画面１１０にある「曲名」ボタン１１３が指示されると、文字パレットを含んだ文字入力画面（図５，１２０）が表示される。
【００１６】
利用者がこの文字入力画面１２０の文字パレット１２１から文字を指示して目的とするカラオケ楽曲の曲名を頭文字から１文字ずつ入力していくと、リモコン制御部１４は、その文字を文字入力欄１２２に表示する処理を実行するとともに、１文字入力される毎に頭文字からの文字列を索引データベースに問い合わせる。例えば「まなつの・・・」と入力するのであれば、まず「ま」が入力された時点でキーワード「ま」をクエリーとして索引データベースを検索する。この時点で該当するカラオケ楽曲の曲数を画面上の所定位置１２３に表示する。また、該当検索された楽曲全ての目次情報を取得する。そして、「ま」に引き続いて「な」以降の文字が入力されると、その文字入力機会ごとに入力済みの文字列を索引データベースに照会し、該当する楽曲の数を表示し、該当楽曲の目次情報を一時記憶する。
【００１７】
文字入力画面１２０の「一覧」ボタン１２４が指示されると一時記憶した目次情報に基づいて検索結果を所定数ずつ一覧画面（図６、１３０）に表示する。本実施例では、８曲ずつ表示している。８曲より多い場合は複数の画面に渡って検索結果を表示する。「次頁」ボタン１３２、あるいは「前頁」ボタン１３３が指示されると、検索結果の他の画面を表示する。それによって、全検索結果が閲覧できるようになっている。
【００１８】
また本実施例では、一時記憶した目次情報の数が８曲以下になると自動的に検索結果一覧画面１３０を表示するようになっている。その際、一時記憶した目次情報に基づいて曲名とアーティスト名の組を調査し、それらの組が重複するものがない、すなわちバージョン別音楽作品を含まない場合は、一時記憶した目次情報の数だけで判断できる。バージョン別音楽作品を含む場合は、バージョン別音楽作品を１曲として扱った数で判断し、一覧画面１３０中に同じ楽曲についてのバージョン別音楽作品を区別して表示しない。すなわち、索引データベース検索により抽出した楽曲中にバージョン別音楽作品が存在する場合で、全抽出楽曲数が８曲以下（バージョン別音楽作品以外の楽曲（通常作品）が７曲以下）になると、曲名およびアーティスト名が同じ複数のバージョン別音楽作品については重複表示をせずに通常作品と同様に、曲名とアーティスト名を一つの欄１３１にのみ表示する。また、「一覧」ボタン１２４への指示を受け付けた際に一画面中に表示する８曲についても、バージョン別音楽作品を１曲として扱って表示している。もちろん、「一覧」ボタン１２４ヘの指示を受け付けて一覧画面１３０を表示する場合には、バージョン別音楽作品を重複表示するようにしてもよい。
【００１９】
なお、バージョン別音楽作品については、表示欄１３１にその旨を付記し、利用者に複数のバージョンが存在することを認識させるようにしてもよい。図７に、バージョン別音楽作品の存在を認識させるための検索結果一覧画面１３０ｂを例示した。バージョン別音楽作品の欄１３１ｂにその旨１３２が記載されている。
【００２０】
リモコン制御部１４は、検索結果一覧画面（１３０，１３０ｂ）の表示処理に際し、通常作品を表示している欄の表示領域については楽曲番号を対応付けして管理し、バージョン別音楽作品を表示している欄の表示領域については、該当する全音楽作品の楽曲番号を対応付けしている。もちろん、通常作品も含めた全表示欄、あるいはバージョン別音楽作品の表示領域に、曲名とアーティスト名を対応付けして管理してもよい。
【００２１】
そして、ある表示欄（１３１，１３１ｂ）が指示されると、リモコン制御部１４は、その欄（１３１，１３１ｂ）に対応付けした楽曲番号が単数か複数かによって、すなわち、指示された欄に表示している楽曲が通常作品かバージョン別音楽作品かによって異なる処理を実行する。指示された楽曲が通常作品であれば、その作品についての目次情報を含む詳細情報画面（図８，１４０）を表示する。この詳細情報画面１４０には目次情報１４１と、その楽曲の楽曲番号を演奏端末２に送信して演奏予約させるための「転送」ボタン１４２、および演奏端末２における待ち行列の先頭に楽曲番号を登録させるための「割込転送」ボタン１４３が含まれている。
【００２２】
一方、検索結果一覧画面（１３０，１３０ｂ）にてバージョン別音楽作品が選択されると、各バージョン別音楽作品についての目次情報とバージョン説明情報とを取得し、各バージョン別音楽作品についてのバージョン説明情報を一覧にした画面（図９，１５０）を表示する。この画面１５０には、曲名とアーティスト名１５１に加え、各バージョン別音楽作品の楽曲番号１５２とバージョン説明情報１５３とが一覧表示されている。そして、この一覧から、１つのバージョン別音楽作品の選択入力を受け付けると、通常作品と同様に、その作品の演奏予約指示を受け付けるための詳細情報画面（図１０，１４０ｂ）を表示する。この例では、バージョン別音楽作品についての詳細情報画面１４０ｂには、バージョン説明情報１４４を含ませている。
【００２３】
そして、詳細情報画面（１４０，１４０ｂ）に配設されている「転送」ボタン１４２や「割込転送」ボタン１４３を指示すると、リモコン制御部１４は、当該画面（１４０，１４０ｂ）に表示されている作品の楽曲番号を含んだコマンドを無線ＬＡＮインタフェース１７を介して演奏端末２に向けて送出し、演奏の指示を受け付けた旨の確認画面（図１１，１６０）をタッチパネル１１に表示させる。
【００２４】
＝＝＝バージョン説明情報とバージョン別音楽作品の識別表示について＝＝＝
上記実施例では、索引データベースにおけるバージョン説明情報には各バージョンの内容が記述されていた。この例に限らず、図１２に示すように、あらかじめバージョンの種別を規定しておき、その種別の有無をバージョン説明情報としてもよい。この例では、ある曲名１６１とアーティスト名１６２の楽曲について、複数のバージョン別音楽作品が存在し、各バージョン別音楽作品の楽曲番号１６３に種別１６４に応じたバージョンの有無を示すフラグ１６５と、その種別の内容１６６とが対応付けされている。例えば、楽曲番号「1234-16」のバージョン別音楽作品１６３ｂには、種別として外国語歌詞がある旨のフラグ（図中「○」で表記）１６５が対応付けされているとともに、その種別に関する内容として「ハングル文字」１６６ｂが対応付けされている。
【００２５】
また、個々のバージョン別音楽作品を識別表示する画面も図９に示したようにバージョン別音楽作品を一覧にした画面１５０とせず、バージョンの種別を選択可能にした画面としてもよい。図１３にバージョン別音楽作品をその種別によって選択可能にする画面を例示した。この画面１７０では、選択肢がタブ１７１によって示され、各タブ１７１に種別が記載されている。存在しない種別についてはそのタブ自体を非表示にしたり、タブを表示しても選択できないようにしたりするなどして該当する種別のバージョン説明情報が付帯していない旨を利用者に認識させるようにすればよい。ある種別のタブ１７１を指示すると、その種別の関するバージョン説明情報１７２が目次情報１７３とともに表示されるようになっている。なおこの例では、図１０に示したような詳細情報画面１４０ｂを表示させることなく、タブ１７１によって選択されたバージョン別音楽作品をそのまま演奏予約させるための「転送」ボタン１７４や「割込転送」ボタン１７５が配設されている。
【００２６】
なお、例えば、外国語歌詞であっても、複数の言語でバージョン別音楽作品が存在したり、ジャズバージョンとロックバージョンのアレンジが存在したりするなど、一つの種別について複数の内容が存在する場合も想定される。そのような場合には、「ハングル文字歌詞」「中国語歌詞」、「ジャズアレンジ」「ロックアレンジ」など、種別と内容を組み合わせた選択肢を用意しておけばよい。あるいは、特定の種別（例えば、外国語歌詞）を選択した際、その種別に複数の内容（中国語、ハングル文字など）が存在すれば、その内容を一覧にして選択可能にした画面を表示するようにしてもよい。
【００２７】
＝＝＝索引データベースについて＝＝＝
上記実施例において、索引データベースは、客室端末１の外部記憶に格納されていた。この例に限らず、演奏予約コマンドの送付先となる演奏端末２の外部記憶に索引データベースを格納し、演奏端末２と客室端末１とが双方向通信できるようにしておく。そして客室端末１には、利用者入力により受け付けたクエリーに基づいて演奏端末２の索引データベースを検索するプログラムと、上記実施例のように検索結果として抽出した音楽作品をバージョン別に表示するためのプログラムとを実装させておけばよい。もちろん、客室端末１にインターネット７０ａやＶＰＮ７０ｂなどのネットワークにアクセスする機能を実装し、ホスト装置８０に付帯する外部記憶など、ネットワーク上の所定の記憶資源に索引データベースを用意しておいてもよい。
【００２８】
上記実施例では、バージョンが異なる音楽作品には異なる楽曲番号が付与されていた。この例に限らず、例えば、同じ伴奏音楽でも歌詞の言語が異なる場合などでは、伴奏音楽の起源となる音楽データを楽曲番号で識別し、歌詞画像の起源となる歌詞描出データをその言語に応じた識別子で識別できるようにしてもよい。例えば、索引データベースでは、曲名とアーティスト名が同じカラオケ楽曲については同じ楽曲番号を対応付けしておき、言語毎に言語の識別子をさらに対応付けしておく。そして、演奏端末に送信する演奏予約コマンドに楽曲番号と言語別の識別子とを含ませ、演奏端末は、楽曲番号に基づく音楽データと言語別の識別子に基づく歌詞描出データを処理して、カラオケ伴奏音楽と歌詞画像を同期させて音響映像出力する。すなわち、言語に関する識別子が付帯した楽曲番号を作品ＩＤとする。
【００２９】
＝＝＝カラオケ選曲装置のハードウエアについて＝＝＝
カラオケ選曲装置のハードウエアは、上記実施例のようなタブレット・コンピュータに限らない。例えば、最近の携帯電話機は、赤外線や電波による近距離無線通信機能と、ブラウザと、ＪＡＶＡ（登録商標）実行環境などのアプリケーション・ソフトウエアを実行する機能とを備え、その携帯電話機が専用のアプリケーション・ソフトウエアを実行することで、演奏端末用のリモコン装置として機能する。そこで、移動体通信事業者が管理するパケット通信網やインターネットに接続されているＷｅｂサーバーなどに索引データベースを用意しておく。そして携帯電話機は、利用者入力されたクエリーをＷｅｂサーバーを介して索引データベースに照会し、その照会結果を受け取り、照会結果として上記実施例のようにバージョン別音楽作品を識別可能にして表示するとともに、特定のバージョン別音楽作品の作品ＩＤを含む演奏予約コマンドを近距離無線通信機能により演奏端末に送信する。
【図面の簡単な説明】
【００３０】
【図１】本発明の実施例におけるカラオケ選曲装置を含むカラオケシステムの概略図である。
【図２】上記カラオケ選曲装置の外観図（Ａ）と機能ブロック図（Ｂ）である。
【図３】上記カラオケ選曲装置が記憶する索引データベースの概略構造図である。
【図４】上記カラオケ選曲装置が表示するトップ画面の概略図である。
【図５】上記カラオケ選曲装置が表示する文字入力画面の概略図である。
【図６】上記カラオケ選曲装置が表示する検索結果一覧画面の概略図である。
【図７】上記検索結果一覧画面のその他の表示例を示す概略図である。
【図８】上記カラオケ選曲装置が表示する詳細情報画面の概略図である。
【図９】上記カラオケ選曲装置が表示するバージョン別音楽作品の一覧画面の概略図である。
【図１０】上記カラオケ選曲装置が表示するバージョン別音楽作品についての詳細情報画面の概略図である。
【図１１】上記カラオケ選曲装置が表示する確認画面の概略図である。
【図１２】上記索引データベースのその他の例における概略構造図である。
【図１３】上記バージョン別音楽作品の一覧画面のその他の表示例を示す概略図である。
【符号の説明】
【００３１】
１  カラオケ選曲装置
２  演奏端末
１１  タッチパネル
１４  リモコン制御部
１５  外部記憶
１０２  バージョン説明情報
１３０，１３０ｂ  検索結果一覧画面
１５０  バージョン別音楽作品一覧画面
【図１】
2008197549.tif 000003
【図２】
2008197549.tif 000004
【図３】
2008197549.tif 000005
【図４】
2008197549.tif 000006
【図５】
2008197549.tif 000007
【図６】
2008197549.tif 000008
【図７】
2008197549.tif 000009
【図８】
2008197549.tif 000010
【図９】
2008197549.tif 000011
【図１０】
2008197549.tif 000012
【図１１】
2008197549.tif 000013
【図１２】
2008197549.tif 000014
【図１３】
2008197549.tif 000015